(57)【要約】【課題】  この発明は、放送の受信状態や放送コンテンツの内容に応じた省電力制御が可能な放送受信装置を提供することを目的としている。【解決手段】  放送受信手段で受信される放送の受信状態を監視し、放送受信に成功したか失敗したかを判定し、放送受信に失敗したと判定された場合は、所定時間経過後に放送受信装置を省電力動作モードへ移行させ、省電力動作モードへ移行後、所定時間の間、省電力動作モードを保持し、所定時間保持後に放送を受信し、放送の受信状態を監視し、放送受信に成功したか失敗したかを判定し、放送受信に成功したと判定された場合は、放送受信装置を省電力動作モードから通常電力消費動作モードへ移行させるように構成する。【選択図】  図１
2005303874.tif 000002
【特許請求の範囲】
【請求項１】
放送を受信する放送受信装置において、
放送を受信する放送受信手段と、
前記放送受信手段で受信される放送の受信状態を監視し、放送受信に成功したか失敗したかを判定する第１の放送受信判定手段と、
前記第１の放送受信判定手段で放送受信に失敗したと判定された場合は、予め定められた所定時間経過後に放送受信装置を省電力動作モードへ移行させる第１の移行手段と、
前記省電力動作モードへ移行後、予め定められた所定時間の間、省電力動作モードを保持する省電力動作モード保持手段と、
前記省電力動作モードの所定時間保持後に前記放送受信手段を用いて放送を受信する省電力動作モード保持後の放送受信手段と、
前記省電力動作モード保持後の放送受信手段で受信される放送の受信状態を監視し、放送受信に成功したか失敗したかを判定する第２の放送受信判定手段と、
前記第２の放送受信判定手段で放送受信に成功したと判定された場合は、放送受信装置を前記省電力動作モードから通常電力消費動作モードへ移行させる第２の移行手段とを備えることを特徴とする放送受信装置。
【請求項２】
放送を受信する放送受信装置において、
放送を受信する放送受信手段と、
前記放送受信手段で受信された放送から映像コンテンツを抽出する映像コンテンツ抽出手段と、
前記映像コンテンツ抽出手段で抽出された映像コンテンツを表示する表示手段と、
前記放送受信手段で受信された放送の受信状態を監視し、放送受信に成功したか失敗したかを判定する第１の放送受信判定手段と、
前記第１の放送受信判定手段で放送受信に失敗したと判定された場合は、予め定められた所定時間経過後に前記表示手段の輝度を低下させて表示することで放送受信装置を省電力動作モードへ移行させる第１の移行手段と、
前記省電力動作モードへ移行後、予め定められた所定時間の間、省電力動作モードを保持する省電力動作モード保持手段と、
前記省電力動作モードの所定時間保持後に前記放送受信手段を用いて放送を受信する省電力動作モード保持後の放送受信手段と、
前記省電力動作モード保持後の放送受信手段で受信される放送の受信状態を監視し、放送受信に成功したか失敗したかを判定する第２の放送受信判定手段と、
前記第２の放送受信判定手段で放送受信に成功したと判定された場合は、前記表示手段の輝度を上昇させて表示することで放送受信装置を前記省電力動作モードから通常電力消費動作モードへ移行させる第２の移行手段とを備えることを特徴とする放送受信装置。
【請求項３】
放送を受信する放送受信装置において、
放送を受信する放送受信手段と、
前記放送受信手段で受信された放送コンテンツの内容を監視し、受信された放送コンテンツの内容が、映像が付加されない音声放送か否かを判定する音声放送判定手段と、
前記音声放送判定手段で、受信された放送コンテンツの内容が、映像が付加されない音声放送であると判定された場合は放送受信装置を省電力動作モードへ移行させる省電力動作モード移行手段とを備えることを特徴とする放送受信装置。
【請求項４】
放送を受信する放送受信装置において、
放送を受信する放送受信手段と、
前記放送受信手段で受信された放送から映像コンテンツを抽出する映像コンテンツ抽出手段と、
前記映像コンテンツ抽出手段で抽出された映像コンテンツを表示する表示手段と、
前記放送受信手段で受信された放送コンテンツの内容を監視し、受信された放送コンテンツの内容が、映像が付加されない音声放送か否かを判定する音声放送判定手段と、
前記音声放送判定手段で、受信された放送コンテンツの内容が、映像が付加されない音声放送であると判定された場合は前記表示手段の輝度を低下させて表示することで放送受信装置を省電力動作モードへ移行させる省電力動作モード移行手段とを備えることを特徴とする放送受信装置。
【請求項５】
放送を受信する放送受信方法において、
放送を受信するステップと、
前記受信される放送の受信状態を監視し、放送受信に成功したか失敗したかを判定するステップと、
放送受信に失敗したと判定された場合は、予め定められた所定時間経過後に放送受信装置を省電力動作モードへ移行させるステップと、
前記省電力動作モードへ移行後、予め定められた所定時間の間、省電力動作モードを保持するステップと、
前記省電力動作モードの所定時間保持後に放送を受信するステップと、
前記省電力動作モード保持後に受信される放送の受信状態を監視し、放送受信に成功したか失敗したかを判定するステップと、
前記省電力動作モード保持後の放送受信に成功したと判定された場合は、放送受信装置を前記省電力動作モードから通常電力消費動作モードへ移行させるステップとを備えることを特徴とする放送受信方法。
【請求項６】
放送を受信する放送受信方法において、
放送を受信するステップと、
前記受信された放送から映像コンテンツを抽出するステップと、
前記抽出された映像コンテンツを表示手段へ表示するステップと、
前記受信された放送の受信状態を監視し、放送受信に成功したか失敗したかを判定するステップと、
前記放送受信に失敗したと判定された場合は、予め定められた所定時間経過後に前記表示手段の輝度を低下させて表示することで放送受信装置を省電力動作モードへ移行させるステップと、
前記省電力動作モードへ移行後、予め定められた所定時間の間、省電力動作モードを保持するステップと、
前記省電力動作モードの所定時間保持後に放送を受信するステップと、
前記省電力動作モード保持後に受信される放送の受信状態を監視し、放送受信に成功したか失敗したかを判定するステップと、
前記省電力動作モード保持後の放送受信に成功したと判定された場合は、前記表示手段の輝度を上昇させて表示することで放送受信装置を前記省電力動作モードから通常電力消費動作モードへ移行させるステップとを備えることを特徴とする放送受信方法。
【請求項７】
放送を受信する放送受信方法において、
放送を受信するステップと、
前記受信された放送コンテンツの内容を監視し、受信された放送コンテンツの内容が、映像が付加されない音声放送か否かを判定するステップと、
前記受信された放送コンテンツの内容が、映像が付加されない音声放送であると判定された場合は放送受信装置を省電力動作モードへ移行させるステップとを備えることを特徴とする放送受信方法。
【請求項８】
放送を受信する放送受信方法において、
放送を受信するステップと、
前記受信された放送から映像コンテンツを抽出するステップと、
前記抽出された映像コンテンツを表示手段へ表示するステップと、
前記受信された放送コンテンツの内容を監視し、受信された放送コンテンツの内容が、映像が付加されない音声放送か否かを判定するステップと、
前記受信された放送コンテンツの内容が、映像が付加されない音声放送であると判定された場合は前記表示手段の輝度を低下させて表示することで放送受信装置を省電力動作モードへ移行させるステップとを備えることを特徴とする放送受信方法。
【発明の詳細な説明】
【技術分野】
【０００１】
この発明はＴＶ放送やラジオ放送を受信する放送受信装置に係り、特に省電力動作を行う放送受信装置に関する。またこの発明は、ユーザの携帯時に放送を受信する携帯型放送受信装置に関する。
【背景技術】
【０００２】
近年、テレビジョン放送がデジタル化されつつある。このデジタル放送で放送される放送サービスにはテレビジョン放送の他にラジオ放送も行われている。そして、いわゆる携帯型放送受信装置を携帯して、これらの放送（デジタル放送）を受信することが検討されている。
【０００３】
携帯型放送受信装置は携帯する用途で使用されるため、電力の消費量が少なくなるように抑えること、すなわち省電力であることが望まれている。
【０００４】
特許文献１には動作中のアプリケーションプログラムの種類や動作状態に応じてバックライトの輝度を低下させるようにして省電力を行う技術が開示されている。しかしながら、この特許文献１では放送の受信状態や放送コンテンツの内容に応じた省電力制御が開示されておらず、製品に応用する上では充分ではなかった。
【特許文献１】特開２００２−９９２４８号公報
【発明の開示】
【発明が解決しようとする課題】
【０００５】
そこで、この発明は上記事情を考慮してなされたもので、放送の受信状態や放送コンテンツの内容に応じた省電力制御を行うことを目的とする。
【課題を解決するための手段】
【０００６】
この発明に係る放送受信装置は、放送を受信する放送受信手段と、前記放送受信手段で受信される放送の受信状態を監視し、放送受信に成功したか失敗したかを判定する第１の放送受信判定手段と、前記第１の放送受信判定手段で放送受信に失敗したと判定された場合は、予め定められた所定時間経過後に放送受信装置を省電力動作モードへ移行させる第１の移行手段と、前記省電力動作モードへ移行後、予め定められた所定時間の間、省電力動作モードを保持する省電力動作モード保持手段と、前記省電力動作モードの所定時間保持後に前記放送受信手段を用いて放送を受信する省電力動作モード保持後の放送受信手段と、前記省電力動作モード保持後の放送受信手段で受信される放送の受信状態を監視し、放送受信に成功したか失敗したかを判定する第２の放送受信判定手段と、前記第２の放送受信判定手段で放送受信に成功したと判定された場合は、放送受信装置を前記省電力動作モードから通常電力消費動作モードへ移行させる第２の移行手段とを備えるように構成したものである。
【０００７】
またこの発明に係る放送受信方法は、放送を受信するステップと、前記受信される放送の受信状態を監視し、放送受信に成功したか失敗したかを判定するステップと、放送受信に失敗したと判定された場合は、予め定められた所定時間経過後に放送受信装置を省電力動作モードへ移行させるステップと、前記省電力動作モードへ移行後、予め定められた所定時間の間、省電力動作モードを保持するステップと、前記省電力動作モードの所定時間保持後に放送を受信するステップと、前記省電力動作モード保持後に受信される放送の受信状態を監視し、放送受信に成功したか失敗したかを判定するステップと、前記省電力動作モード保持後の放送受信に成功したと判定された場合は、放送受信装置を前記省電力動作モードから通常電力消費動作モードへ移行させるステップとを備えるように構成したものである。
【発明の効果】
【０００８】
上記のように構成することによって、放送の受信状態や放送コンテンツの内容に応じた省電力制御を行うことが可能となる。
【発明を実施するための最良の形態】
【０００９】
以下、図面を参照してこの発明の実施の形態を説明する。
【００１０】
図１はこの発明の実施の形態を示すもので、放送受信装置の概略を示すブロック図である。
【００１１】
符号９はデジタル衛星放送を受信するアンテナ、符号１０は放送受信部（放送受信手段）、符号１１はＴＳ処理部、符号１２はＭＰＥＧデコード部、符号１３はグラフィック重畳部、符号１４は映像信号処理部（映像信号出力手段）、符号１５は画像表示部（映像表示手段）、符号１６は音声信号処理部（音声信号出力手段）、符号１７はスピーカ（音声出力手段）、符号１８はＣＰＵ、符号１９は半導体やＤＶＤ、ＨＤＤ、ＶＴＲ等のメモリ（記憶媒体）、符号２０は電源、符号３０は放送受信装置（モバイル（携帯）型の放送受信装置（携帯受信端末））である。
【００１２】
ＣＰＵ１８は放送受信装置３０内に設けられた放送受信部１０、ＴＳ処理部１１、ＭＰＥＧデコード部１２、グラフィック重畳部１３、映像信号処理部１４、画像表示部１５、音声信号処理部１６、スピーカ１７、メモリ１９、電源２０に接続され、それぞれを制御している。
【００１３】
デジタル衛星放送がアンテナ９で受信され、放送受信部１０へ出力される。放送受信部１０ではデジタル衛星放送が選局され、選局された放送がＴＳ処理部（Transport Stream処理部）１２へ出力される。ＴＳ処理部１１ではデジタル放送のTransport StreamがDemux処理され、ＭＰＥＧデコード部１２へ出力される。ＭＰＥＧデコード部１２ではTransport StreamがDemux処理された放送信号がＭＰＥＧデコード処理されて出力される。
【００１４】
ここで、ＭＰＥＧデコード処理は上記デジタル衛星放送がＭＰＥＧ４圧縮の形態で送信される場合はＭＰＥＧ４のデコード処理が行われ、上記デジタル衛星放送がＭＰＥＧ２圧縮の形態で送信される場合はＭＰＥＧ２のデコード処理が行われる。また、上記デジタル衛星放送がＨ２４６圧縮の形態で送信される場合はＨ２４６のデコード処理が行われる。
【００１５】
ＭＰＥＧデコード部１２でデコード処理されて出力された放送信号はグラフィック重畳部１３へ入力される。グラフィック重畳部１３では所定のグラフィックが重畳され、映像信号処理部１４へ出力される。映像信号処理部１４では所定のグラフィックが重畳された放送信号の映像処理を行い、画像表示部（映像表示部）１５へ映像信号を出力する。画像表示部（映像表示部）１５では映像信号を受信し、映像を表示する。
【００１６】
また、ＭＰＥＧデコード部１２でデコード処理されて出力された放送信号は音声信号処理部１６へ出力される。音声信号処理部１４ではＡＣ３等の音声圧縮のデコード処理を行い、スピーカ（音声出力部）１７へ音声信号を出力する。スピーカ（音声出力部）１７では音声信号を受信し、音声を出力する。
【００１７】
電源２０はＣＰＵ１８に制御され、放送受信装置３０へ電力を供給する。電源２０は、通常は繰り返し充電を行うことができる充電池で構成されるが、充電を行うことができない電池で構成することも可能である。また、電源２０として、直接商用電源を用いることも可能である。
【００１８】
ここで、ＣＰＵ１８の制御動作について説明する。ＣＰＵ１８は、放送受信部１０およびメモリ１９と接続されている。ＣＰＵ１８は、予め、放送受信部１０で受信された放送（コンテンツ）を記録媒体へ記録するように放送受信部１０およびメモリ（記憶媒体）１９を制御する（放送記録手段）。
【００１９】
メモリ（記憶媒体）１９はＭＰＥＧデコード部１２の前段部、すなわちＴＳ処理部１１の後段と接続されており、ＴＳ処理が行われた放送（コンテンツ）が、予めメモリ（記憶媒体）１９に記録される。
【００２０】
また、後述する切換えによって予め記録された放送（コンテンツ）がメモリ（記憶媒体）１９から出力されると、ＭＰＥＧデコード部１２でＭＰＥＧデコード処理が行われ出力される。
【００２１】
ここで、上記のように、放送局から送信される上記デジタル放送がＭＰＥＧ４圧縮の形態で送信される場合はＭＰＥＧ４のデコード処理が行われ、放送がＭＰＥＧ２圧縮の形態で送信される場合はＭＰＥＧ２のデコード処理が行われる。また、放送がＨ２４６圧縮の形態で送信される場合はＨ２４６のデコード処理が行われる。
【００２２】
また、ＣＰＵ１８は、放送受信部（放送受信手段）１０で受信される放送の受信状態を監視し、放送受信が可能な状態か放送受信が不可能な状態かを判定する（放送受信判定手段）。例えば、放送受信部１０で受信されるデジタル放送の品位（例えばビットエラーレートや信号強度等）をパラメータとして放送受信が可能な状態か放送受信が不可能な状態かを監視し、判定する。
【００２３】
そして、放送受信に失敗した（放送受信が不可能な状態である）と判定された場合には、予め定められた所定時間（例えば１〜２秒間程度）待つ。ＣＰＵ１８は、図示しない時計に接続されており、時間を計時する。この所定時間経過後に、放送受信装置を省電力動作モードへ移行させる（第１の移行手段）。
【００２４】
そじて、省電力動作モードを予め定められた所定時間（例えば１〜２分間程度）保持する（省電力動作モード保持手段）。時間は上記のようにＣＰＵ１８と接続した時計によって計時される。
【００２５】
ＣＰＵ１８は、上記省電力動作モードの所定時間保持後に放送受信手段１０を用いて放送を受信させる（省電力動作モード保持後の放送受信手段）。また、  省電力動作モード保持後の放送受信手段で受信される放送の受信状態を監視し、放送受信に成功したか失敗したかを判定する（第２の放送受信判定手段）。ここで、放送受信に成功したと判定された場合は、放送受信装置３０を省電力動作モードから通常電力消費動作モードへ移行させる（第２の移行手段）。
【００２６】
図２はこの発明の実施の形態に係る放送受信装置の動作を説明するフローチャートである。
【００２７】
ここでは、ユーザーが放送受信装置（携帯受信端末）３０を運ぶことによって、例えば、放送受信装置（携帯受信端末）３０が、地下鉄のホームや車両等の放送を受信しにくい状態になったときの、処理動作の一例を示す。
【００２８】
符号１００はここでの開始ステップである。続いて符号１０１を付したステップへ進む。
【００２９】
符号１０１は放送受信装置（携帯受信端末）３０の放送受信手段１０が放送を受信するステップである。続いて符号１０２を付したステップへ進む。
【００３０】
符号１０２は受信していた放送の受信に失敗したか否かを判断するステップである。受信していた放送の受信に失敗したと判断される場合は符号１０３を付したステップへ進む（Ｙｅｓ）。受信していた放送の受信に失敗したと判断されない場合は符号１０１を付したステップへ進み上記処理が繰り返される（Ｎｏ）。
【００３１】
符号１０３は所定時間（例えば１〜２秒程度）、待機するステップである。続いて符号１０４を付したステップへ進む。
【００３２】
符号１０４は放送受信装置（携帯受信端末）３０を省電力モードへ移行させるステップである。省電力モードは、例えば画像表示装置１５が液晶表示装置で構成されている場合にはバックライトへ供給する電力量を抑制し、画像表示装置の輝度を落として省電力を実現してもよい。続いて符号１０５を付したステップへ進む。
【００３３】
符号１０５は所定時間（例えば１〜２分程度）、省電力モードを保持し、待機するステップである。続いて符号１０６を付したステップへ進む。
【００３４】
符号１０６は省電力モードを保持後に、放送受信装置（携帯受信端末）３０の放送受信手段１０が放送を受信するステップである。続いて符号１０７を付したステップへ進む。
【００３５】
符号１０７は受信していた放送の受信に成功したか否かを判断するステップである。受信していた放送の受信に成功したと判断される場合は符号１０８を付したステップへ進む（Ｙｅｓ）。受信していた放送の受信に成功したと判断されない場合は符号１０３を付したステップへ進み、上記処理が繰り返される（Ｎｏ）。
【００３６】
符号１０８は放送受信装置（携帯受信端末）３０を省電力モードから通常動作モードへ移行させるステップである。通常動作モードは、例えば省電力モードで行っていた画像表示装置１５の省電力を中止することで実現してもよい。続いて符号１０９を付したステップへ進む。
【００３７】
符号１０９は終了ステップであり、ここでの処理は終了する。
【００３８】
すなわち、この発明の実施の形態においては、放送受信装置３０において放送受信の成否を判断し、上記のように、一定時間放送受信に失敗した場合は、放送受信が可能な環境ではないものと判断し、自動的に省電力モードへと移行する。また、省電力モード保持後は放送の受信状態をチェックし、放送受信に成功した場合には、通常動作モードへと移行するようにしている。
【００３９】
このように構成することによって、放送の受信状態に応じた省電力制御を行うことが可能となる。
【００４０】
次にこの発明の他の、実施の形態を説明する。
【００４１】
図３はこの発明の他の、実施の形態を示すもので、放送受信装置の動作を説明するフローチャートである。
【００４２】
ここでは、放送受信手段１０で受信された放送コンテンツの内容を監視し、受信された放送コンテンツの内容が、映像が付加されない音声放送か否かを判定（音声放送判定手段）し、映像が付加されない音声放送であると判定された場合は放送受信装置３０を省電力動作モードへ移行（省電力動作モード移行手段）させる。省電力動作モードは、例えば上記のように、電力供給量を抑制して画像表示部１５のバックライトの輝度を落としたり、あるいは画像表示部の表示をOFFにしてもよい。
【００４３】
符号２００はここでの開始ステップである。続いて符号２０１を付したステップへ進む。
【００４４】
符号２０１は放送受信装置（携帯受信端末）３０の放送受信手段１０が放送を受信するステップである。続いて符号２０２を付したステップへ進む。
【００４５】
符号２０２は受信された放送の、放送コンテンツの内容を監視し、受信された放送コンテンツの内容が、映像が付加されない音声放送か否かを判定するステップである。ここで、映像が付加されているかいないかの判断は、例えば映像データが付加されているか否かを判断することで実現できる。受信された放送コンテンツの内容が、映像が付加されない音声放送であると判定された場合は符号２０３を付したステップへ進む（Ｙｅｓ）。受信された放送コンテンツの内容が、映像が付加されない音声放送ではないと判定された場合は符号２０１を付したステップへ進み、上記処理が繰り返される（Ｎｏ）。
【００４６】
符号２０３は、省電力動作モードのステップである。すなわち、画像表示部１５への電力供給量を抑制してバックライトの輝度を落としたり、あるいは画像表示部１５の表示をOFFにしてもよい。続いて符号２０４を付したステップへ進む。
【００４７】
符号２０４は終了ステップであり、ここでの処理は終了する。
【００４８】
このように構成することによって、放送コンテンツの内容に応じた省電力制御を行うことが可能となる。
【００４９】
なお、この発明は上記した実施の形態そのままに限定されるものではなく、実施段階ではその趣旨を逸脱しない範囲で構成要素を種々変形して具体化することができる。
【図面の簡単な説明】
【００５０】
【図１】この発明の実施の形態を示すもので、放送受信装置の概略を示すブロック図。
【図２】この発明の実施の形態を示すもので、放送受信装置の動作を説明するフローチャート。
【図３】この発明の他の、実施の形態を示すもので、放送受信装置の動作を説明するフローチャート。
【符号の説明】
【００５１】
９…アンテナ、１０…放送受信部（放送受信手段）、１１…ＴＳ処理部、１２…ＭＰＥＧデコード部、１３…グラフィック重畳部、１４…映像信号処理部（映像信号出力手段）、１５…画像表示部（映像表示手段）、１６…音声信号処理部（音声信号出力手段）、１７…スピーカ（音声出力手段）、１８…ＣＰＵ、１９…メモリ（記憶媒体）、２０…電源、３０…放送受信装置（携帯受信端末）。
【図１】
2005303874.tif 000003
【図２】
2005303874.tif 000004
【図３】
2005303874.tif 000005